(57)【特許請求の範囲】
【請求項１】
表面側に配送情報記入部を有する伝票である受領票と、表面側に配送情報記入部を有する他の紙片である配達票とが、第１の切り込み部を境に、縦方向に連接されていると共に、前記配達票の両側に形成された第２の切り込み部を境にして連接された第１の保持片と、前記受領票の両側に形成された第３の切り込み部を境にして連接された第２の保持片と、を有する配送伝票用紙と、
前記受領票及び前記配達票の裏面に形成された第１の樹脂からなる層と、
前記第１の樹脂からなる層の表面を含む前記配送伝票用紙の裏面全面に、前記第１の樹脂からなる層と層間隔離可能な状態で形成された第２の樹脂からなる層と、
前記第２の樹脂からなる層の表面に形成された粘着層と、
前記粘着層の表面に剥離可能に貼付された剥離紙とからなることを特徴とする配送伝票。
【請求項２】
請求項１記載の配送伝票用紙が、剥離紙上に連続して設けられていることを特徴とする配送伝票が設けられたシート。
【発明の詳細な説明】
【０００１】
【発明の属する技術分野】
本発明は、宅配荷物等の配送品に貼付して使用する種々の配送伝票及びそれが設けられたシートに関するものである。特に、自動ラベル貼付機を用いて、剥離紙から配送伝票を剥離する際におけるスムーズな剥離を行うことのできる配送伝票及びそれが設けられたシートに関する。
【０００２】
【従来の技術】
従来、例えば通信販売等においては、商品の購入申し込み者へ商品を配送する場合に、配送品に貼付することのできる配送伝票を用いることが一般的に行われている。
これらの配送伝票は、特にお届け先の住所や氏名等を手書きにより記入するのに適する複写可能な複数枚の伝票構成からなる第１の配送伝票と、お届け先の住所や氏名等の記入事項をノン・インパクト・プリンターにより印字出力するのに適するもので、１枚の伝票用紙に切り込みを入れ、各伝票紙片に分割して構成してなる第２の配送伝票とが既に知られている。
【０００３】
上記の第２の配送伝票に関する従来例としては、図７，図８に示すように、表面に配送情報記入部３１ａを有する配達票３２ａと、同じく表面に配送情報記入部３１ｂを有する受領票３２ｂとが切り込み部３３を境にして縦方向に連接された配送伝票用紙３２であって、前記配送伝票用紙３２の裏面側には、配送伝票用紙３２の配達票３２ａや受領票３２ｂを配送品に貼付した後に、必要に応じて剥離することができるように樹脂層の界面で剥離可能な第１の樹脂層３４と第２の樹脂層３５が形成され、そして外側に形成された第２の樹脂層３５の裏面に粘着剤が塗布された粘着層３６が形成されると共に、前記配送伝票用紙３２を帯状の剥離紙３７上に複数並べて前記粘着層３６で剥離可能に貼着して構成した配送伝票が設けられたシート３０が既に知られている。
【０００４】
上記従来の配送伝票が設けられたシート３０の配送伝票用紙３２を自動ラベル貼付機３８を使用して配送品３９に貼付する場合には、図９に示すように例えばロール状に巻かれた剥離紙３７を移動させながら、配送伝票用紙３２の先端部分を配送品３９に押し当て、配送伝票用紙３２の裏面側に設けられた粘着剤３６により配送品３９の表面に貼付するものである。
【０００５】
しかしながら、配送伝票用紙３２には切り込み部３３が形成されていて、この切り込み部３３が剥離紙３７の流れ方向とほぼ直交して形成されているため、切り込み部３３に力が集中し、自動ラベル貼付機３８により配送伝票用紙３２を配送品３９に貼付している途中で、切り込み部３３を境に配送伝票用紙３２が折れてしまい、配達票３２ａと受領票３２ｂとが連接された状態できちんと配送品３９に貼付されない場合がある。
つまり、配達票３２ａだけが配送品３９の表面に貼付された後に、切り込み部３３から配送伝票用紙３２が折れて分断され、受領票３２ｂだけが剥離紙３７に残った状態となったり、配送品３９の表面に配達票３２ａと受領票３２ｂとが一旦分断され離れた状態で貼付されたり、重なって貼付されてしまう等の不都合が生じるものである。
【０００６】
これは、配送伝票用紙３２の配達票３２ａと受領票３２ｂとの間に切り込み部３３を形成することで、切り込み部３３を形成した部分は、他の部分に比べて連結強度が弱く、自動ラベル貼付機３８による貼付処理時の衝撃で折れ曲がり、又は分断されてしまうものである。
【０００７】
【発明が解決しようとする課題】
本発明は、配送伝票を、自動ラベル貼付機を用いて配送品に貼付する場合でも、配送伝票用紙に設けた前記切り込み部から配送伝票用紙が折れ曲がり、又は分断されることがなく、配送品の表面に伝票と他の紙片とが連接したままの状態できちんと貼付することができる配送伝票及びそれが設けられたシートを提供するものである。
【０００８】
【課題を解決するための手段】
上記の目的を達成するために、本発明の配送伝票は、表面側に配送情報記入部を有する伝票である受領票と、表面側に配送情報記入部を有する他の紙片である配達票とが、第１の切り込み部を境に、縦方向に連接されていると共に、前記配達票の両側に形成された第２の切り込み部を境にして連接された第１の保持片と、前記受領票の両側に形成された第３の切り込み部を境にして連接された第２の保持片と、を有する配送伝票用紙と、前記受領票及び前記配達票の裏面に形成された第１の樹脂からなる層と、前記第１の樹脂からなる層の表面を含む前記配送伝票用紙の裏面全面に、前記第１の樹脂からなる層と層間隔離可能な状態で形成された第２の樹脂からなる層と、前記第２の樹脂からなる層の表面に形成された粘着層と、前記粘着層の表面に剥離可能に貼付された剥離紙とからなることを特徴とするものである。
【０００９】
次に、本発明の配送伝票が設けられたシートは、請求項１記載の配送伝票用紙が、剥離紙上に連続して設けられていることを特徴とするものである。
【００１０】
【発明の実施の形態】
以下、本発明の配送伝票及びそれが設けられたシートについて、図面に基づき詳細に説明する。
ここにおいて、図１は本発明の配送伝票が設けられたシートの第１実施例の平面図、図２は図１のＡ−Ａ線断面図、図３は図１のＢ−Ｂ線断面図、図４は本発明の配送伝票が設けられたシートの第２実施例の平面図、図５は本発明の配送伝票が設けられたシートの第３実施例の平面図、図６は図５のＣ−Ｃ線断面図、図７は自動ラベル貼付機により本発明の配送伝票が設けられたシートを使用して配送品に貼付する様子を説明するための図である。
【００１１】
本発明の第１実施例を図１〜図３に基づいて説明する。
第１実施例の配送伝票が設けられたシート１ａは、表面に配送情報記入部２ｂを有する伝票である受領票３ｂと、表面に配送情報記入部２ａを有する他の紙片である配達票３ａとの間に形成された第１の切り込み部４を境に縦方向に連接されていると共に、配達票３ａと受領票３ｂの両側にそれぞれ形成された第２の切り込み部５ａ及び第３の切り込み部５ｂを境にしてそれぞれ第１の保持片３ｃと第２の保持片３ｄとが連接された配送伝票用紙３を有するものである。
【００１２】
配送伝票用紙３は、天然紙、合成紙、又は、樹脂シートなどを利用することができ、プリンター適性や捺印適性から、合成紙や樹脂シートであれば、印字可能なコロナ処理などを行うことが好ましく、また、耐水性などの耐久性の点から、合成紙や、樹脂シートが好ましく、さらに控票などを配送伝票の上に重ねた場合に、複写特性をもたせるために、ロイコ系染料などからなる感熱発色層を設けてもよい。
【００１３】
そして、配達票３ａと受領票３ｂの裏面には、第１の樹脂からなる層６が形成されていると共に、前記第１の樹脂からなる層６の表面を含む前記配送伝票用紙３の裏面全面に前記第１の樹脂からなる層６と層間剥離可能な第２の樹脂からなる層７が形成されている。
【００１４】
また、第２の樹脂からなる層７の裏面側には、粘着剤からなる粘着層８が形成されて配送伝票が構成されていて、この粘着層８により帯状の剥離紙９の表面とが剥離可能に貼付されて配送伝票が設けられたシートが構成されている。
前記粘着層８は、アクリル系や、酢酸ビニル系の一般的に使用されている粘着剤を塗布して形成することができる。
帯状の剥離紙９は、ロール状に巻かれていたり、所定の長さ毎に折り用の横ミシン目が形成されていて折り畳まれた状態になっている。
そして、この剥離紙９の上に、複数の配送伝票用紙３が等間隔で剥離可能に貼付されている。
剥離紙９は、天然紙、合成紙、又は、樹脂シートなどに、シリコーン系の樹脂などをコーティングして剥離層を形成したものを使用することができる。
【００１５】
配達票３ａと受領票３ｂの裏面に設けた第１の樹脂からなる層６は、配達票３ａと受領票３ｂの裏面に強固に接着された状態で形成されていて、配送伝票用紙３を配送品の表面に貼付した後に、配達票３ａまたは受領票３ｂを引っ張ることで、第１の樹脂からなる層６と第２の樹脂からなる層７の間から剥離することができるように樹脂層の界面の接着力が調整されている。
【００１６】
樹脂層の界面で剥離することが可能な第１の樹脂からなる層６と第２の樹脂からなる層７としては、例えば、第１の樹脂からなる層６をシリコーン系の樹脂や、ＵＶ硬化樹脂などの密着性の低いものとし、また第２の樹脂からなる層７をポリウレタンやポリエステルなどの熱可塑性樹脂とすることで、はぎ取ることで層の界面で剥離することができる。
【００１７】
また、通常は配送伝票用紙３を配送品の表面に貼付した後に配送されて、受け取り人に届けた際に、受領票３ｂの受領印欄１０に受領印を押してもらった後、受領票３ｂだけを剥離するものであるが、受け取り人側においても配達票３ａを剥離することができるように、第１の樹脂からなる層６が配達票３ａと受領票３ｂのそれぞれの裏面に設けられている。
【００１８】
また、配達票３ａと受領票３ｂの両側には、それぞれ第１の切り込み部５ａ、第２の切り込み部５ｂが形成されていて、これら切り込み部５ａ，５ｂを境にして第１の保持片３ｃと第２の保持片３ｄが前記配達票３ａと前記受領票３ｂと同じ長さでそれぞれ各票の両側に連接されている。
そして、図２の断面図に示すように、配送伝票用紙３の裏面側の全面、つまり配達票３ａと受領票３ｂの裏面に設けた第１の樹脂からなる層６の表面と、配達票３ａと受領票３ｂの両側に設けた保持片３ｃ，３ｄの裏面に第２の樹脂からなる層７が形成されている。
従って、保持片３ｃ，３ｄの裏面には、第２の樹脂からなる層７が直接強固に接着された状態で設けられているが、配達票３ａと受領票３ｂに対しては、第１の樹脂からなる層６の外側に設けられていて、第１の樹脂からなる層６から第２の樹脂からなる層７を両層の界面で剥離することができるように形成されている。
【００１９】
そして、ロール状または折り畳まれた状態の配送伝票が設けられたシート１ａを用いて、自動ラベル貼付機３８で配送品３９に配送伝票３を貼付する場合には、図１０に示すように、自動ラベル貼付機３８により剥離紙９を引っ張ることで移動させて、剥離紙９を鋭角に曲げることでまず配送伝票用紙３の先端部分を剥離紙９から剥離させ、その下方をベルトコンベアーで移動させてきた配送品３９の表面に、配送伝票用紙３の先端部分から斜めの状態で粘着層８の部分を押しつけて少しづつ貼付していくものである。
【００２０】
この自動ラベル貼付機３８による配送品３９の表面への貼付の際に、本発明の配送伝票が設けられたシート１ａには、配達票３ａと受領票３ｂの両側に切り込み部５ａ，５ｂを境にして保持片３ｃ，３ｄが前記配達票３ａと前記受領票３ｂと同じ長さで連接されているので、配送伝票用紙３が剥離紙９から次第に剥離されて切り込み部４に差しかかった時にも、切り込み部４から配達票３ａと受領票３ｂが分離することがなく連接されたままの状態で配送品３９の表面への貼付することができるものである。
【００２１】
次に本発明の第２実施例を図４に基づいて説明する。
第２実施例の配送伝票が形成されたシート１ｂは、配送伝票用紙３の４周辺を残して矩形状の切り込み部１１を形成し、その矩形状の切り込み部１１の内側の紙片に対してその略中央付近に横方向の切り込み部４を設けることで、他の紙片である配達票３ａと伝票である受領票３ｂを分離可能に区画したものである。
従って、配達票３ａと受領票３ｂの裏面には第１実施例の配送伝票が形成されたシート１ａと同様に第１の樹脂からなる層６が形成されているが、矩形状の切り込み部１１の外側に位置する配送伝票用紙３の４周辺の紙片の裏面には、第１の樹脂からなる層６が形成されていない。
【００２２】
矩形状の切り込み部１１の外側に位置する配送伝票用紙３の４周辺の紙片の裏面には、第２の樹脂からなる層７が形成されていて、第２の樹脂からなる層７は配達票３ａと受領票３ｂの裏面側では、第１の樹脂からなる層６の裏面側に形成され、配達票３ａまたは受領票３ｂを剥がす際に、第１の樹脂からなる層６と第２の樹脂からなる層７との界面で剥離することができるように調整されている。
【００２３】
第２実施例の配送伝票が形成されたシート１ｂを用いて、自動ラベル貼付機３８で配送品３９の表面に配送伝票用紙３を貼付する場合でも、配達票３ａと受領票３ｂの両側の切り込み部１１を境にして保持片３ｃが前記配達票３ａと前記受領票３ｂの周囲で連接されているので、配送伝票用紙３が剥離紙９から次第に剥離されて切り込み部４に差しかかった時にも、切り込み部４から配達票３ａと受領票３ｂが分離することがなく連接されたままの状態で配送品３９に貼付することができる。
【００２４】
次に、本発明の第３実施例について、図５，図６に基づいて説明する。
第３実施例の配送伝票が形成されたシート１ｃは、配送伝票用紙３から伝票である受領票３ｂだけを剥離する構成になっている。
つまり、配送伝票用紙３の他の紙片である配達票３ａは、配送品の表面に一旦貼付した後に剥離する必要がなく、そのまま受け取り人側で配達票３ａを包装紙等と共に廃棄する場合で、配送人が受領票３ｂだけを剥離して受け取り人から受領印欄１０に受領印を押してもらい受領票３ｂを持ち帰るような使い方に用いるのに適するものである。
【００２５】
配送伝票が形成されたシート１ｃは、図５に示すように配送伝票用紙３の略下半分の両側部にそれぞれ第２の切り込み部５ａ、第３の切り込み部５ｂと、前記それぞれの切り込み部５ａ，５ｂの上端を結ぶ横方向の第１の切り込み部４とにより受領票３ｂを形成している。
また、受領票３ｂの上側には切り込み部４を境にして配達票３ａが設けられ、配達票３ａの両側下方にはそれぞれ保持片３ｃが連接されている。
上記それぞれの保持片３ｃは、受領票３ｂのそれぞれの両側に縦方向の切り込み部５ａ，５ｂを境にして連接されている。
【００２６】
受領票３ｂの下面には、第１の樹脂からなる層６が形成されている。
また、前記第１の樹脂からなる層６の表面を含む前記配送伝票用紙３の裏面全面に前記第１の樹脂からなる層６との界面で剥離可能な第２の樹脂からなる層７が形成されている。
従って、第２の樹脂からなる層７は受領票３ｂの裏面においては第１の樹脂からなる層６の表面に層間剥離可能に接着されているが、受領票３ｂを除く配送伝票用紙３の裏面には、第２の樹脂からなる層７が直接強固に接着されている。
そして、第２の樹脂からなる層７の表面には、粘着層８が形成され、剥離紙９に剥離可能に接着されている。
【００２７】
従って、配送伝票が形成されたシート１ｃを用いて、自動ラベル貼付機３８により配送品３９に貼付する際に、配送伝票用紙３が剥離紙９から次第に剥離されて切り込み部４に差しかかった時にも、切り込み部４の両側部分が配達票３ａと保持片３ｃとで連接され一体化されているので、配送票３ａと受領票３ｂとが分離することがなく、配送伝票用紙３がそのまま配送品３９に貼付することができる。
そして、配送品３９の表面に貼付された配送伝票用紙３から、受領票３ｂを引っ張ることで、受領票３ｂの下面に形成された第１の樹脂からなる層６と第２の樹脂からなる層７との界面で剥離させて受領票３ｂを分離することができる。
【００２８】
本発明は、以上の実施例に限定されるものではなく、例えば、配送伝票の強度を向上させるために、第２の樹脂からなる層７と粘着層８との間に、紙や樹脂シートなどからなる支持シートを設けてもよい。また、配送伝票を構成する伝票の数も配送票３ａと受領票３ｂの２つに限らず、貼付票などを加えて３種以上であってもよい。
さらに、第１の樹脂からなる層と第２の樹脂からなる層に代えて、ポリエチレンイミンなどの凝集力の小さい層内で剥離する層を設けてもよい。
【００２９】
【発明の効果】
以上のように、本発明の配送伝票及びそれが形成されたシートは、いづれも自動ラベル貼付機により配送品の表面への貼付する場合でも、貼付処理の途中で伝票と他の紙片との間に設けた第１の切り込み部から折れ曲がり、又は分断されることなく、配送伝票用紙が連接されたままの状態で貼付することができる効果がある。
【００３０】
【図面の簡単な説明】
【図１】本発明の配送伝票が形成されたシートの第１実施例の平面図である。
【図２】図１のＡ−Ａ線断面図である。
【図３】図１のＢ−Ｂ線断面図である。
【図４】本発明の配送伝票が形成されたシートの第２実施例の平面図である。
【図５】本発明の配送伝票が形成されたシートの第３実施例の平面図である。
【図６】図５のＣ−Ｃ線断面図である。
【図７】従来の配送伝票が設けられたシートの平面図である。
【図８】図７のＤ−Ｄ線断面図である。
【図９】自動ラベル貼付機により従来の配送伝票が設けられたシートを使用して配送品に貼付する様子を説明するための図である。
【図１０】自動ラベル貼付機により本発明の配送伝票が設けられたシートを使用して配送品に貼付する様子を説明するための図である。
【符号の説明】
１ａ，１ｂ，１ｃ  配送伝票が形成されたシート
２ａ，２ｂ，３１ａ，３１ｂ  配送情報記入部
３  配送伝票用紙
３ａ，３２ａ  配送票
３ｂ，３２ｂ  受領票
３ｃ，３ｄ  保持片
４，５，３３  切り込み部
６，３４  第１の樹脂からなる層
７，３５  第２の樹脂からなる層
８，３６  粘着層
９，３７  剥離紙
１０  受領印欄
１１  矩形状の切り込み部
３０  従来の配送伝票が設けられたシート
３８  自動ラベル貼付機
３９  配送品
【図１】
0004139503.tif 000002
【図２】
0004139503.tif 000003
【図３】
0004139503.tif 000004
【図４】
0004139503.tif 000005
【図５】
0004139503.tif 000006
【図６】
0004139503.tif 000007
【図７】
0004139503.tif 000008
【図８】
0004139503.tif 000009
【図９】
0004139503.tif 000010
【図１０】
0004139503.tif 000011